(57)【要約】【課題】波長が３８０〜４５０ｎｍのレーザ光が照射されることにより光学特性が変化する記録層及び基板よりも薄いカバー層を備える光記録媒体にＢＣＡ等のバーコード状データを高精度で効率良く記録することができる光記録媒体のバーコード状データ記録方法、記録装置及びバーコード状データが記録された光記録媒体を提供する。【解決手段】  透光性を有する基板１２上に、波長が３８０〜４５０ｎｍのレーザ光が照射されることにより光学特性が変化する記録層１４及び、透光性を有し、基板１２よりも薄いカバー層１６が形成され、カバー層１６側からレーザ光が照射されることによりデータが記録／再生されるように構成された光記録媒体１０に基板１２側からレーザ光を照射して記録層１４にバーコード状データを記録する。【選択図】図１
2006079717.tif 000002
【特許請求の範囲】
【請求項１】
透光性を有する基板上に、波長が３８０〜４５０ｎｍのレーザ光が照射されることにより光学特性が変化する記録層と、透光性を有し、前記基板よりも薄いカバー層と、が形成され、該カバー層側からレーザ光が照射されることによりデータが記録／再生されるように構成された光記録媒体を前記基板が光学ヘッド部に対向するように配置し、前記基板側からレーザ光を照射することにより前記記録層にバーコード状のデータを形成することを特徴とする光記録媒体のバーコード状データ記録方法。
【請求項２】
透光性を有する基板上に、波長が３８０〜４５０ｎｍのレーザ光が照射されることにより光学特性が変化する記録層及び、透光性を有し、前記基板よりも薄いカバー層が形成され、該カバー層側からレーザ光が照射されることによりデータが記録／再生されるように構成された光記録媒体を保持するための光記録媒体保持部と、レーザ光発振部及び対物レンズを有してなり、前記光記録媒体保持部に保持される前記光記録媒体に前記基板側から、焦点が前記記録層に一致するようにレーザ光を照射するための光学ヘッド部と、を備えることを特徴とする光記録媒体のバーコード状データ記録装置。
【請求項３】
透光性を有する基板上に、波長が３８０〜４５０ｎｍのレーザ光が照射されることにより光学特性が変化する記録層と、透光性を有し、前記基板よりも薄いカバー層と、が形成され、前記レーザ光が照射される側と反対側の表面から該記録層までの光透過率が２０〜９５％の範囲であり、前記基板側から前記記録層にレーザ光が照射されて該記録層にバーコード状のデータが形成されたことを特徴とする光記録媒体。
【発明の詳細な説明】
【技術分野】
【０００１】
本発明は、レーザ光が照射されることにより記録層が光学的に変化して情報が記録される光記録媒体にバーコード状データを記録する記録方法、記録装置及び光記録媒体に関する。
【背景技術】
【０００２】
情報記録媒体としてＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）等の光記録媒体が広く利用されている。更に、近年、照射光として波長が３８０ｎｍ〜４５０ｎｍ程度の青色又は青紫色のレーザ光を用いることで、一層高密度で大容量の情報を記録可能とした光記録媒体が注目されている。尚、仕様統一のため、波長が約４０５ｎｍの青紫色のレーザ光を用いると共に、対物レンズの開口数をＤＶＤの場合よりも大きい０．８５とし、カバー層の厚さをＤＶＤよりも薄い０．１ｍｍとする提案がなされており、これに対応した光記録媒体が普及しつつある。
【０００３】
ここで本発明の理解のため、対物レンズの開口数、焦点距離、焦点のスポット径及び焦点深度の関係について簡単に説明しておく。レーザ光は、対物レンズで集光されて光記録媒体の記録層に照射され、対物レンズの開口数が小さい程、焦点距離は長い。又、対物レンズの開口数が小さい程、レーザ光の焦点のスポット径は大きい。又、焦点近傍には、レーザ光のスポット径の光軸方向の変動が小さい領域があり、この領域の光軸方向の長さを焦点深度といい、対物レンズの開口数が小さい程、焦点深度は深い（長い）。このように焦点近傍では、レーザ光のスポット径の光軸方向の変動が小さく、エネルギ密度が高いレーザ光を高精度で照射するのに好適であるので、光記録媒体の記録装置は、レーザ光の焦点が記録層にほぼ一致するように設定されている。
【０００４】
ところで、光記録媒体は、データの追記や書き換えができないＲＯＭ（Ｒｅａｄ  Ｏｎｌｙ  Ｍｅｍｏｒｙ）型、データを１回だけ追記できるＲ（Ｒｅｃｏｒｄａｂｌｅ）型、データの書き換えができるＲＷ（Ｒｅｗｒｉｔａｂｌｅ）型に大別され、Ｒ型やＲＷ型の光記録媒体の記録層には、例えば著作権の保護等を目的としてＢＣＡ（Ｂｕｒｓｔ  Ｃｕｔｔｉｎｇ  Ａｒｅａ）と称されるバーコード状のデータが記録されることがある（例えば、特許文献１、２参照）。バーコード状のデータを構成する各マークは、径方向に長い略長方形であり、レーザ光を光記録媒体に照射することにより周方向に適宜な間隔で形成される。このようなバーコード状のデータを構成するマークは、改竄の防止等の目的で、径方向には多数のトラックに亘って形成され、又、周方向にも通常の記録マークの周方向の長さの数十倍から数千倍の幅で形成される。即ち、バーコード状のデータを構成する各マークは、通常の記録マークよりも著しく大きく、通常の記録マークを形成するための記録装置よりも開口数が小さい対物レンズを備え、レーザ光の焦点のスポット径が大きい専用の記録装置で記録されることが多い。このように専用の記録装置を用いることによりバーコード状のデータを効率良く形成することが可能である。
【０００５】
【特許文献１】特開２００１―７６３４５号公報
【特許文献２】特開平１０―２３３０１９号公報
【発明の開示】
【発明が解決しようとする課題】
【０００６】
しかしながら、開口数が小さく焦点距離が長い対物レンズから、０．１ｍｍ程度の薄いカバー層を介して記録層にレーザ光を照射すると、図５に示されるように、記録層１００におけるレーザ光のスポット径と、カバー層１０２の表面におけるレーザ光のスポット径と、の差が殆ど生じないこととなる。従って、カバー層の表面に傷や異物等が存在すると、これらの傷や異物等が反映されたマークが形成されやすく、バーコード状データの形成精度が低いという問題がある。
【０００７】
これに対して、開口数が大きく焦点距離が短い対物レンズから、レーザ光を照射すれば、図６に示されるように、記録層１００におけるレーザ光のスポット径と、カバー層１０２の表面におけるレーザ光のスポット径と、の差が大きくなり、カバー層の表面に傷や異物等が存在しても、これらの傷や異物等がマークに反映されにくくなり、バーコード状データの形成精度が高くなるが、焦点距離が短い程、レーザ光の焦点のスポット径が小さくなるため、バーコード状データの形成効率が低いという問題がある。
【０００８】
又、開口数が大きい対物レンズは焦点深度が浅い（短い）ため、記録層におけるレーザ光のスポット径やエネルギ密度の変動を抑制するために、それだけ精密な対物レンズの位置調整等が要求されるという問題がある。
【０００９】
本発明は、以上の問題点に鑑みてなされたものであって、波長が３８０〜４５０ｎｍのレーザ光が照射されることにより光学特性が変化する記録層及び基板よりも薄いカバー層を備える光記録媒体にＢＣＡ等のバーコード状データを高精度で効率良く記録することができる光記録媒体のバーコード状データ記録方法、記録装置及びバーコード状データが高精度で効率良く記録された光記録媒体を提供することを目的とする。
【課題を解決するための手段】
【００１０】
本発明は、透光性を有し、カバー層よりも厚い基板側からレーザ光を照射することにより、記録層にバーコード状のデータを高精度で効率良く記録することを実現したものである。
【００１１】
このようにカバー層よりも厚い基板側からレーザ光を照射すれば、開口数が小さく、焦点距離が長い対物レンズを用いても、記録層におけるレーザ光のスポット径と、基板の表面におけるレーザ光のスポット径と、の差が大きくなるので、基板の表面に傷や異物等が存在しても、これらの傷や異物等がマークに反映されにくくなり、バーコード状データを高精度で形成することができる。又、開口数が小さい対物レンズを用いれば、それだけレーザ光の焦点のスポット径が大きくなるので、バーコード状データを効率良く形成することができる。
【００１２】
即ち、以下の発明により上記目的を達成することができる。
【００１３】
（１）透光性を有する基板上に、波長が３８０〜４５０ｎｍのレーザ光が照射されることにより光学特性が変化する記録層と、透光性を有し、前記基板よりも薄いカバー層と、が形成され、該カバー層側からレーザ光が照射されることによりデータが記録／再生されるように構成された光記録媒体を前記基板が光学ヘッド部に対向するように配置し、前記基板側からレーザ光を照射することにより前記記録層にバーコード状のデータを形成することを特徴とする光記録媒体のバーコード状データ記録方法。
【００１４】
（２）  （１）において、開口数が０．０５〜０．１５の範囲の対物レンズで前記レーザ光を集光して前記記録層に照射することを特徴とする光記録媒体のバーコード状データ記録方法。
【００１５】
（３）透光性を有する基板上に、波長が３８０〜４５０ｎｍのレーザ光が照射されることにより光学特性が変化する記録層及び、透光性を有し、前記基板よりも薄いカバー層が形成され、該カバー層側からレーザ光が照射されることによりデータが記録／再生されるように構成された光記録媒体を保持するための光記録媒体保持部と、レーザ光発振部及び対物レンズを有してなり、前記光記録媒体保持部に保持される前記光記録媒体に前記基板側から、焦点が前記記録層に一致するようにレーザ光を照射するための光学ヘッド部と、を備えることを特徴とする光記録媒体のバーコード状データ記録装置。
【００１６】
（４）  （３）において、前記光学ヘッド部の対物レンズは、開口数が０．０５〜０．１５の範囲であることを特徴とする光記録媒体のバーコード状データ記録装置。
【００１７】
（５）透光性を有する基板上に、波長が３８０〜４５０ｎｍのレーザ光が照射されることにより光学特性が変化する記録層と、透光性を有し、前記基板よりも薄いカバー層と、が形成され、前記レーザ光が照射される側と反対側の表面から該記録層までの光透過率が２０〜９５％の範囲であり、前記基板側から前記記録層にレーザ光が照射されて該記録層にバーコード状のデータが形成されたことを特徴とする光記録媒体。
【発明の効果】
【００１８】
本発明によれば、例えば０．１ｍｍ程度の薄いカバー層を備える光記録媒体にＢＣＡ等のバーコード状データを高精度で効率良く記録することができる。
【発明を実施するための最良の形態】
【００１９】
以下、本発明を実施するための好ましい形態について図面を参照して詳細に説明する。
【００２０】
図１に示されるように、本実施形態に係る光記録媒体１０は、透光性を有する基板１２上に、波長が３８０〜４５０ｎｍのレーザ光が照射されることにより光学特性が変化する記録層１４と、透光性を有し、基板１２よりも薄いカバー層１６と、が形成され、前記レーザ光が照射される側と反対側の光記録媒体１０の表面から記録層１４までの光透過率が２０〜９５％の範囲であり、基板１２側から記録層１４にレーザ光が照射されて記録層１４に図２に示されるようなバーコード状データ１７が形成されたことを特徴としている。
【００２１】
光記録媒体１０は、外径が約１２０ｍｍ、厚さが約１．２ｍｍの円板形状のＲ型又はＲＷ型の光ディスクである。
【００２２】
基板１２は、厚さが約１．１ｍｍで、記録層１４側の面には記録マークを形成するためのトラックを構成するグルーブが形成されている。基板１２の材料としては透光性を有する、ポリカーボネート樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂等を用いることができる。
【００２３】
記録層１４は、基板１２の凹凸パターンに倣って凹凸パターンで形成されている。Ｒ型の場合、記録層１４の材料としては、有機色素や金属の酸化物等の無機材料を用いることができる。尚、Ｒ型の場合、必要に応じて記録層１４に隣接して反射層や誘電体層が形成される。又、ＲＷ型の場合、記録層１４の材料としては、相変化材料を用いることができる。ＲＷ型の場合も、必要に応じて記録層１４に隣接して反射層や誘電体層が形成される。尚、反射層を記録層１４と基板１２側との間に形成する場合、基板１２の表面から記録層１４までの光透過率が２０〜９５％となるように反射層の材料、厚さ等を調節する。反射層の材料としては、例えば、反射率が高い誘電体材料を用いることができる。尚、この場合、反射層は誘電体層を兼ねる構成とすることも可能である。
【００２４】
カバー層１６は、厚さが約０．１ｍｍである。カバー層１６の材料としては透光性を有するアクリル系紫外線硬化性樹脂、エポキシ系紫外線硬化性樹脂等のエネルギ線硬化性樹脂を用いることができる。ここで、「エネルギ線」という用語は、流動状態の特定の樹脂を硬化させる性質を有する、例えば紫外線、電子線等の電磁波、粒子線の総称という意義で用いることとする。尚、カバー層１６の材料として、透光性を有するフィルムを用いてもよい。
【００２５】
バーコード状データ１７は、光記録媒体１０における、例えば内周近傍の一部の領域に形成されている。バーコード状データ１７を構成する各マーク１７Ａは、径方向に長い略長方形であり、径方向には多数のトラックに亘って形成され、又、周方向にも通常の記録マークの周方向の長さの数十倍から数千倍の幅で形成されている。
【００２６】
光記録媒体１０へのバーコード状データ１７の形成は、図３に示されるようなバーコード状データ記録装置１８を用いて行う。
【００２７】
バーコード状データ記録装置１８は、光記録媒体１０を保持するための光記録媒体保持部２０と、レーザ光発振部２２及び対物レンズ２４を有してなり、光記録媒体保持部２０に保持された光記録媒体１０に基板１２側から、焦点が記録層１４に一致するようにレーザ光を照射するための光学ヘッド部２６と、を備えている。
【００２８】
光記録媒体保持部２０は、光記録媒体１０を着脱自在に保持するための着脱機構（図示省略）を備え、モータ２８に回転自在に取付けられている。尚、モータ２８はベース部３０に取付けられている。又、モータ２８には、モータ制御部３２が結線され、モータ制御部３２は、主制御部３４に結線されている。
【００２９】
光学ヘッド部２６のレーザ光発振部２２は、波長が約７８０ｎｍのレーザ光を発振するように構成されている。尚、光学ヘッド部２６は、キャリッジモータ３６を介してベース部３０に取付けられ、記録層１４の所望の部位にレーザ光を照射可能とされている。又、光学ヘッド部２６にはレーザ出力制御部３８が結線され、レーザ出力制御部３８は、主制御部３４に結線されている。尚、キャリッジモータ３６も、主制御部３４に結線されている。
【００３０】
対物レンズ２４は、開口数が通常のデータを記録するための対物レンズの開口数０．８５よりも小さく、焦点が、光記録媒体保持部２０に保持された光記録媒体１０の記録層１４にほぼ一致するように設置されている。対物レンズ２４の開口数は、０．０５〜０．１５の範囲であることが好ましい。
【００３１】
次に、バーコード状データ記録装置１８を用いた光記録媒体１０へのバーコード状データ１７の記録方法について図４のフローチャートに沿って説明する。
【００３２】
まず光記録媒体１０を基板１２が光学ヘッド部２６に対向するように光記録媒体保持部２０に保持する（Ｓ２０２）。
【００３３】
次に、光記録媒体保持部２０と共に光記録媒体１０を回転させながら、光学ヘッド部２６の位置を調節して光記録媒体１０に基板１２側からレーザ光を照射し、記録層１４の所望の部位にバーコー状データ１７を構成する各マーク１７Ａを形成（記録）していく（Ｓ２０４）。
【００３４】
バーコード状データ記録装置１８は、対物レンズ２４の開口数が通常のデータを記録するための対物レンズの開口数０．８５よりも小さいので、レーザ光の焦点のスポット径が通常のデータを記録するためのレーザ光の焦点のスポット径よりも大きい。従って、ＢＣＡ等のバーコード状データ１７を構成する（通常のデータの記録マークよりも著しく大きい）各マーク１７Ａを効率良く形成することができる。
【００３５】
尚、レーザ光の波長λ及び対物レンズ２４の開口数ＮＡと、レーザ光の焦点のスポット径φと、の関係は次式（I）で表される。
【００３６】
φ＝０．８２×λ／ＮＡ…（I）
【００３７】
又、レーザ光の波長λ及び対物レンズ２４の開口数ＮＡと、レーザ光の焦点深度Ｄと、の関係は次式（II）で表される。
【００３８】
Ｄ＝λ／（ＮＡ）２…（II）
【００３９】
尚、レーザ光の焦点のスポット形状はほぼ円形であり、スポットの直径がバーコード情報を構成する各マーク１７Ａの幅（ディスクの径方向の長さ）よりも短い場合は、光学ヘッド部２６の位置を径方向にずらしながら、レーザ光の照射を複数回繰り返すことで、所望の長さのマークを形成することができる。
【００４０】
又、光記録媒体１０は光記録媒体保持部２０と共に回転しているので、レーザ光の照射時間を調節することで、マークの長さ（周方向の幅）を調節することができ、照射時間を長くする程、幅が広いマークを形成することができる。
【００４１】
バーコード状データ記録装置１８は、カバー層１６よりも厚い基板１２側からレーザ光を照射するので、対物レンズ２４の開口数が小さく、レーザ光の焦点距離が長くても、記録層１４におけるレーザ光のスポット径と、基板１２の表面におけるレーザ光のスポット径と、の差が大きい。従って、基板１２の表面に傷や異物等が存在しても、これらの傷や異物等がマークに反映されにくく、バーコード状データ１７を高精度で形成することができる。
【００４２】
又、バーコード状データ記録装置１８は、対物レンズ２４の開口数が小さいので、レーザ光の焦点深度が深く（長く）、対物レンズ２４の設置位置等の高精度な調整を行うことなく、一定のスポット径のレーザ光を記録層１４に照射することができ、この点でもバーコード状データ１７を高精度で形成することができる。
【００４３】
即ち、バーコード状データ記録装置１８は、０．１ｍｍの薄いカバー層１６を備える光記録媒体１０にＢＣＡ等のバーコード状データ１７を高精度で効率良く記録することができる。
【００４４】
又、光記録媒体１０は、基板１２における基板１２と反対側の表面から記録層１４までの光透過率が２０〜９５％の範囲であるので、光ヘッド部２６のレーザ光が記録層１４に効率良く照射され、この点でもバーコード状データ１７を高精度で効率良く記録することができる。
【００４５】
レーザ光の波長が７８０ｎｍの場合の、対物レンズ２４の開口数と、焦点深度、レーザ光の記録層１４における（焦点の）スポット径、基板１２の表面におけるスポット径と、の関係を表１に示す。又、記録層１４に焦点が一致する（焦点が最も合う焦点深度の範囲内の部分に記録層が位置する）ようにカバー層１６側からレーザ光を照射する場合の、カバー層１６の表面におけるスポット径を表１に併記する。
【００４６】
【表１】
2006079717.tif 000003
【００４７】
表１より、対物レンズ２４の開口数が０．０２５の場合、カバー層１６側からレーザ光を照射しても、基板１２側からレーザ光を照射しても、カバー層１６、基板１２の表面におけるレーザ光のスポット径は、記録層１４におけるレーザ光のスポット径と等しく、カバー層１６、基板１２の表面に傷や異物等が存在する場合、これらの傷や異物等が反映されたマークが形成されやすいと推測される。
【００４８】
これに対し、対物レンズ２４の開口数が０．０４であれば、記録層１４に焦点が一致するようにカバー層１６側からレーザ光を照射する場合の、カバー層１６の表面におけるレーザ光のスポット径に対し、基板１２側からレーザ光を照射する場合の基板１２の表面におけるレーザ光のスポット径は、１．８倍程度となり、基板１２側からレーザ光を照射することにより、カバー層１６側からレーザ光を照射する場合に対し、表面の傷や異物等によるマークへの影響を抑制できる一定の効果が得られると推測される。
【００４９】
更に、対物レンズ２４の開口数が０．０５以上であれば、記録層１４に焦点が一致するようにカバー層１６側からレーザ光を照射する場合の、カバー層１６の表面におけるレーザ光のスポット径に対し、基板１２側からレーザ光を照射する場合の基板１２の表面におけるレーザ光のスポット径は、３〜１０倍程度となり、基板１２側からレーザ光を照射することにより、カバー層１６側からレーザ光を照射する場合に対し、表面の傷や異物等によるマークへの影響を大幅に抑制できると考えられる。
【００５０】
尚、対物レンズ２４の開口数が０．３以上の場合、記録層におけるスポット径が過小であるため、バーコード状データ１７の記録効率の大幅な低下が懸念され、又、焦点深度も過小であるため、記録層１４に一定のスポット径のレーザ光を照射するために、対物レンズの設置位置等の精密な調整が必要である。
【００５１】
これに対し、対物レンズ２４の開口数が０．１５以下であれば、記録層における充分なスポット径及び充分な焦点深度が得られ、バーコード状データ１７を効率良く、高精度で形成することができる。
【００５２】
即ち、表１より、レーザ光の波長が７８０ｎｍ程度の場合、対物レンズ２４の開口数を０．０５〜０．１５の範囲とすることが好ましいことがわかる。又、バーコード状データ記録装置については、規格によりレーザ光の記録層における（焦点の）スポット径を、１０±５μｍとするように要求されているが、波長が７８０ｎｍ程度のレーザ光を用いる場合、対物レンズ２４の開口数を０．０５〜０．１５の範囲とすれば、この要求を満たすことがわかる。
【００５３】
尚、本実施形態において、バーコード状データ記録装置１８は、波長が約７８０ｎｍのレーザ光を発振する構成であるが、記録層１４の種類や、形成しようとするバーコード状データ１７の各マーク１７Ａの大きさ等に応じて、発振するレーザ光の波長は適宜決定すればよい。
【００５４】
又、本実施形態において、光記録媒体１０の記録層１４は、波長が４０５ｎｍのレーザ光が照射されることにより光学特性が変化する構成であるが、波長が３８０〜４５０ｎｍのレーザ光が照射されることにより光学特性が変化する記録層を備える光記録媒体であれば、本発明を適用可能である。特に、波長が３８０〜４５０ｎｍで、開口数ＮＡが０．７〜０．９の対物レンズで集光されたレーザ光が、基板よりも薄いカバー層を介して記録層に照射されてデータの記録／再生が行われるように構成された光記録媒体に対し、本発明は好適である。
【００５５】
又、本実施形態において、円形のスポット形状のレーザ光を用いてバーコード状データ１７を形成しているが、細長い略長方形のスポット形状を有するレーザ光を用いてバーコード状データを形成することも可能である。
【００５６】
又、本実施形態において、光記録媒体１０は、基板１２の片側に記録層１４が１層だけ形成されているが、透光性を有するスペーサ層を介して記録層１４を基板１２の片側に２層以上形成することも可能である。尚、この場合、バーコード状データ１７は、複数の記録層１４のうちの一部の記録層１４に形成してもよく、又、総ての記録層１４に形成してもよいが、基板１２の表面から、バーコード情報１７が形成される記録層１４までの光透過率は２０〜９５％の範囲内であることが好ましい。
【００５７】
又、本実施形態において、光記録媒体１０は、外径が約１２０ｍｍ、厚さが約１．２ｍｍであり、基板１２の厚さが１．１ｍｍ、カバー層１６の厚さが０．１ｍｍであるが、これらの寸法は、必要に応じて適宜変更してもよい。例えば、カバー層１６の厚さは、３０〜２００μｍ程度の範囲で適宜変更してもよい。上記のようにスペーサ層を介して記録層１４を基板１２の片側に２層以上形成する場合、スペーサ層の厚さの分だけ、カバー層１６の厚さを薄くすることで、光記録媒体１０の厚さを１．２ｍｍとすることができる。
【００５８】
又、本実施形態において、光記録媒体１０は片面のみに情報を記録可能である片面記録式であるが、両面に記録層、カバー層が形成された両面記録式の光記録媒体に対しても本発明は当然適用可能である。この場合も、基板側から各記録層にレーザ光を照射すれば、ＢＣＡ等のバーコード状データを高精度で効率良く記録することができる。尚、この場合、いずれの側の記録層にレーザ光を照射する場合も、他方側のカバー層、記録層を介して、基板側から記録層にレーザ光を照射することになるが、本出願において、「基板側から記録層にレーザ光を照射する」とは、記録層にその記録層を被覆するカバー層の反対側の基板側からレーザ光を照射するという意義であり、このような両面記録式の光記録媒体へのレーザ光の照射例のように、他方側のカバー層、記録層を介して基板側から記録層にレーザ光を照射する場合も、本出願における「基板側から記録層にレーザ光を照射する」に含まれることは言うまでもない。
【００５９】
又、本実施形態において、光記録媒体１０は光ディスクであり、バーコード状データ記録装置１８は、光学ヘッド部２６だけで光記録媒体１０にマークを形成しているが、光学ヘッド２２に加えて更に磁気ヘッドを備え、例えばＭＤやＭＯのような光磁気ディスクにＢＣＡ等のバーコード状データを記録してもよい。この場合も、バーコード状データを高精度で効率良く形成することが可能である。
【産業上の利用可能性】
【００６０】
本発明は、光記録媒体にＢＣＡ等のバーコード情報を記録するために利用することができる。
【図面の簡単な説明】
【００６１】
【図１】本発明の実施形態に係る光記録媒体の概略構造を模式的に示す側断面図
【図２】同光記録媒体に形成されたバーコード状データの構成を模式的に示す平断面図
【図３】同バーコード状データを形成するためのバーコード状データ記録装置の概略構造を模式的に示す側面図
【図４】同バーコード状データの記録方法を示すフローチャート
【図５】従来の開口数が大きい対物レンズによるレーザ光の集光態様を模式的に示す側面図
【図６】従来の開口数が小さい対物レンズによるレーザ光の集光態様を模式的に示す側面図
【符号の説明】
【００６２】
１０…光記録媒体
１２…基板
１４…記録層
１６…カバー層
１７…バーコード状データ
１７Ａ…マーク
１８…バーコード状データ記録装置
２０…光記録媒体保持部
２２…レーザ光発振部
２４…対物レンズ
２６…光学ヘッド部
【図１】
2006079717.tif 000004
【図２】
2006079717.tif 000005
【図３】
2006079717.tif 000006
【図４】
2006079717.tif 000007
【図５】
2006079717.tif 000008
【図６】
2006079717.tif 000009